(57)【特許請求の範囲】
【請求項１】
上半身用下着の前身頃に、両カップ部が接離可能に連結されたブラジャー部が取り付けられた授乳服であって、前記前身頃のみぞおち下周辺から首もと中央縦方向に、下端側から上端側に順次開口するファスナーが配設されており、前記ファスナーが開口したとき、前記上半身用下着の前身頃の前記みぞおち下周辺から首もとの部分が開口し、前記両カップ部が露出する授乳口が形成されることを特徴とする授乳服。
【請求項２】
前記ブラジャー部において、前記ブラジャー部の連結部が切り離されたとき、その開口幅および前記ブラジャー部の胸囲を調整できるアジャスターを設けたことを特徴とする請求項１に記載の授乳服。
【請求項３】
前記ブラジャー部の前記両カップ部の各々の上部から脇方向に、前記カップ部内に保持される母乳パッドの一部が差し込められるスリットが形成されていることを特徴とする請求項１又は請求項２に記載の授乳服。
【発明の詳細な説明】
【技術分野】
【０００１】
本発明は、最低限の肌の露出で授乳を迅速に行うことができ、さらに使用者の好みに応じてリラクゼーション感が高められる授乳服に関するものである。
【背景技術】
【０００２】
授乳期間中の女性は、昼夜を問わず頻繁に乳児に母乳を与える必要がある。ほとんど一日中、授乳用衣服を身に付けている必要があるが、授乳用ブラジャーの上に授乳用下着と授乳服を重ねて着ることで、上半身の特に胸周りに圧迫感がありリラックスできないことが多い。また、蒸れによるかぶれや、着膨れる割には肌を大きく露出しなければならなかったりするものも多く、個々の好みやファッションに添えないという難点がある。さらに、複数にわたる授乳口の開閉に手間取ったり、乳児が乳欲しさに手遊びをするようになると簡単に授乳口を開けられて思いがけず肌が露になったりすることも多い。また、授乳用ではない下着を流用することがあるが、乳首を露出するために無理に生地を引っ張るため、生地が伸びて復元しなかったり、肩ひもに圧力がかかることで血行不良や皮膚に炎症を起こしたりしやすい。さらに、授乳用ではないため、漏出する母乳を吸収する母乳パッドを付属の両面テープで貼付しても脱落しやすく、母乳で下着が汚れてしまい頻繁に交換と洗濯を必要とする。
【０００３】
そこで、露出部分が最小限で済むような、経済的で母体に快適な、かつ、乳を欲する乳児に迅速に応えられる授乳服が求められている。例えば、以下のような授乳服が提案されている。
【０００４】
例えば、前身頃において、乳房に当たる部分にスリットを設け、乳房部分のみをスリッ
トから露出して授乳できるような授乳服がある。このような授乳服は、プリーツ加工などで授乳口をカモフラージュしていることが多く全体としてもたつきが見られるにも関わらず、使用と洗濯を繰り返しているうちにスリット部分が伸びやたるみなどで変形し、乳房を隠すという機能が失われることが多い。また乳児に簡単に授乳口を開けられやすい。
【０００５】
また、肩ひもが細いキャミソールタイプであって、大きく開いた襟ぐりを乳首が露出するまで引き下げることにより授乳可能となる授乳服が提案されている（例えば図１０参照）。このようなタイプの授乳服は、授乳時に肩ひもが肩に食い込み擦れることで皮膚の炎症トラブルを起こしたり、下に引っ張られる重みで肩こりを生じたりするものが多い。加えて、繰り返し使用しているうちに襟ぐりや肩ひもが伸びてしまい、たるみが生じた隙間から胸元が見えてしまうという問題があった。
【０００６】
さらには、下記特許文献１に示されるような、胸の谷間付近で前身頃を２枚交差させたいわゆるカシュクールタイプの授乳服にブラジャーを内蔵させた授乳服もある。
【先行技術文献】
【特許文献】
【０００７】
【特許文献１】特開２０１０−２８５７２４号公報
【発明の概要】
【発明が解決しようとする課題】
【０００８】
前掲の特許文献１のタイプの授乳服は、襟元が常時大きく開いており首周りは冷えを感じやすく、しかしながら生地が２枚に重ねて固定されていることに加えブラジャーが内蔵していることで、胸元は蒸れを感じやすい。また、内蔵されているブラジャーは生地の伸縮性だけで使用者の体型に合わせているため、締め付け感が強すぎて息苦しい、もしくは緩すぎてバストの維持機能が果たされないなどの問題がある。
そこで、本発明は前記課題を解決するためになされたもので、最低限の肌の露出で授乳を迅速に行うことのでき、さらにリラクゼーション感を高められる授乳服を提供することを目的とする。
【課題を解決するための手段】
【０００９】
前記の目的を達成するためになされた、特許請求の範囲の請求項１に記載された授乳服は、上半身用下着の内側に、両カップ部が接離可能に連結されたブラジャー部が取り付けられた授乳服であって、前記前身頃のみぞおち下周辺から首もと中央縦方向に、下端側から上端側に順次開口するファスナーが配設されており、前記ファスナーが開口したとき、前記上半身用下着の前身頃の前記みぞおち下周辺から首もとの部分が開口し、前記両カップ部が露出する授乳口が形成されることを特徴とするものである。
【００１０】
請求項２に記載された授乳服は、請求項１に記載されたものであって、前記ブラジャー部において、前記ブラジャー部の連結部が切り離されたとき、その開口幅および前記ブラジャー部の胸囲を調整できるアジャスターを設けたことを特徴とするものである。
【００１１】
請求項３に記載された授乳服は、請求項１又は請求項２に記載されたものであって、前記ブラジャー部の前記両カップ部の各々の上部から脇方向に、前記カップ部内に保持される母乳パッドの一部が差し込められるスリットが形成されていることを特徴とするものである。
【発明の効果】
【００１２】
請求項１に記載の発明により、生地のもたつき等で授乳口を見失うことなく、迅速に授乳体制がとられるような授乳口を配置することができる。上半身下着の前身頃のみぞおち下周辺から首もとの中央縦方向に配置したファスナーを下端側から上端側に順次開口すると、上半身用下着の前身頃の前記みぞおち下周辺から首もとの部分が開口して授乳口が形成される。このようにファスナーを下端側から上端側に順次開口する操作は、上端側から下端側に引き下げる操作に比べ、乳児にとって困難であるため乳児が安易に開けられない授乳口となり、乳を欲しがる乳児によって不意に授乳口が開口されることによる不意の肌露出を防ぐことができる。さらに、ファスナー開閉という簡単な操作で使用者に合った最小限の肌露出を果たせることから、授乳時でなくとも、適宜開口することで体温調節ができる通気口をもつ下着として提供できる。
【００１３】
請求項２に記載の発明により、授乳用ブラジャーと授乳用下着と授乳服とを重ねて着用していた際に生じる胸元のもたつきや圧迫感を解消することができる。さらに、アジャスター部の操作で、授乳時には開口幅を全開にする、また、就寝時には適度に緩めてリラクゼーション感を高める、また、外出時など人目を気にするときには適度に締めてスタイルアップを図ったりすることができ、この下着の上に着用する衣類の選択肢を広げられる汎用性と経済性を高めた授乳用下着としても提供できる。
【００１４】
請求項３に記載の発明により、授乳期に一般的に使用される母乳パッドが脱落しにくいカップ部をもつブラジャーを内蔵した授乳服を提供できる。
【図面の簡単な説明】
【００１５】
【図１】本発明に係る授乳服の一例を説明する正面図である。
【図２】図１に示す授乳服１０の背面図である。
【図３】図２に示す授乳服１０のＣとＣ’線における断面図である。
【図４】図１に示す授乳服１０の側面図である。
【図５】図１に示す授乳服１０の一部を切り欠いて、内側のブラジャー部を部分露出させた正面図である。
【図６】図１に示す授乳服１０のファスナー１４を開けてブラジャー部３０のアジャスター部を露出させた正面図の拡大図である。
【図７】図６に示すアジャスター部６０のＢとＢ’線における断面図である。
【図８】図５に示すアジャスター部６０を中心として内側（使用者側）からみた左右両カップ部３２の図で、右カップのみ母乳パッドを装着している図である。
【図９】本実施形態に係る授乳服の変形例である。
【図１０】従来のブラジャー付き授乳用インナーウェアの正面図である。
【発明を実施するための形態】
【００１６】
以下、本発明の実施例を詳細に説明するが、本発明の範囲はこれらの実施例に限定されるものではない。
【００１７】
本発明に係る授乳服の一例を図１および図２に示す。図１は授乳服１０の正面図、図２は授乳服１０の背面図である。
図１および図２に示す授乳服１０は、乳児に授乳する産後の母親等が着用する衣類であるが、授乳期以外の女性が着用しても勿論構わない。
【００１８】
図１および図２に示す授乳服１０は、上半身用下着であって、キャミソールやスリップ等といった下着類が該当し、また、下着のような形態や素材を用いたランジェリー・ルックなども含まれる。かかる上半身用下着は、リラクゼーション感が得られるように、全体的に身体を締付けない材料や編み方が採用され、後述する限られた部分を除いて、略全体が伸縮性を有する衣類とされている。例えば、ポリウレタン混や肌への優しさ加味して綿混素材を使用できる。このような上半身用下着は、前身頃１２ａ（以下、「前身頃１２ａ」という。）と後身頃１２ｂ（以下、「後身頃１２ｂ」という。）とから構成される。
【００１９】
図１および図２に示す授乳服１０はノースリーブのタンクトップ型であって、使用者の胸部から少なくとも腹部までを覆い包みながら、これを肩掛部１１で支持し、上腕を露出させている。また、図２に示すように、後身頃１２ｂは、後述する領域５２を除いて、縫合線などが形成されることなしに背中を覆っている。
【００２０】
一方、前身頃１２ａについては、図１に示すように、みぞおち下周辺の下端Ａ‘から首もとの上端Ａの中央縦方向にスライダー付のファスナー１４が縫合されている。ファスナー１４のスライダーを、その持ち手をもって下端Ａ‘から上端Ａ方向に移動した後、右前身頃１６や左前身頃１７を図１の矢印方向にめくることによって、鎖骨付近からみぞおち付近まで右前身頃１６と左前身頃１７とが離れて開口し、後述するブラジャー部の両カップ部３２が露出する授乳口を形成できる。ファスナー１４は前身頃１２ａの襟ぐり部１９に達する前にスライダーが止まるように配置されており、完全に開襟しないようになっている。なお、ファスナー１４はスライダーと持ち手が複数あるものや、ワンウェイ方向の面ファスナーであってもよい。
【００２１】
このようなファスナー１４には、下着に適したポリエステルや綿のテープで構成されて、持ち手やスライダーなどのエレメントも小さいものを用い、横方向に比べて縦方向の伸縮性が弱くなるように編成等されており、また、右前身頃１６や左前身頃１７の間を開口して授乳をした後、ファスナー１４のスライダーの持ち手を首もとの上端Ａからみぞおち下周辺の下端Ａ‘方向に下ろしていくことで再び容易に乳房を隠すことができる。また、生地が伸びてしまう事態を防止するため、ファスナー１４と前身頃１２ａは肌に直接触れる点も考慮して、縫い目を細かくしっかりと縫合する。
【００２２】
次に授乳服１０の内側に設置されるブラジャー部３０の概要について説明する。
ブラジャー部３０は、アンダーバストを支持する輪状部４０の上に、乳房を保護しつつも母乳パッドの脱落を防止するスリット５０をもつカップ部３２を左右に備え、各々のカップ部の脇側である領域３８から背中にかけては伸縮性のある生地で形成される、一見しては、一般的なブラジャーの形状をしている。しかしながら、前身頃１２ａ側においては、一般的にフロントホック型と呼ばれるブラジャーで、胸の谷間付近に、着脱のために開閉を可能にするフックが施され、後述するが、胸囲の締め付け加減の調節も果たすアジャスター部を備えた形状である。さらに、後身頃１２ｂ側においては、一般的にスポーツブラジャー型と呼ばれるブラジャーに近く、開閉部を持たず、一枚生地で形成されており、一般的なブラジャーとは異なる特徴をもつ。
図２における点線は内側のブラジャー部後身頃４４の位置を示している。ブラジャー部後身頃４４は上端においては左右の肩甲骨ＫＢの間であって首の根元側の領域２６で、下端においては背中中央の脊椎上にある領域５２で、後述するが、側面においては左右の脇ぐりの２２で、後身頃１２ｂと結合されている。すると、後述するが、領域２６の左右の下各々に３０ａにあたる開口部ができ、さらに領域５２の左右各々に３０ｂにあたる開口部ができ、通気性が向上する。
図３は図２において、ブラジャー部３０の下端上の線、ＣとＣ‘間での断面図である。後述するが、後身頃１２ｂとブラジャー部後身頃４４は領域５２で結合されることで、着脱がしやすくなり、また、３０ｂという空間が二穴できることで通気性が向上する。
さらにブラジャー部３０の側面は、図４に示す通り、左右の脇ぐり部２０上で、前身頃１２ａにおいては左右各々の領域２４で、後身頃１２ｂにおいては左右各々の領域２２で結合されている。このため、ブラジャー部３０は上半身用下着と上下左右の４つの領域で結合され、前後左右の適所で位置決めされるため、容易に動かず、乳房のサポート力を発揮する。
【００２３】
次に図５に沿って説明する。ブラジャー部３０は、授乳用のものであって、使用者の左右の乳房に対応する各々のカップ部３２が接離可能に連結されている。カップ部３２は乳房を保持できるように、伸縮性の小さい布地等を用いて、乳房形状に適合し易いお椀形状に立体裁断されて形成されている。
しかし、図５に示すブラジャー部３０は、それ単独で使用者に装着されずに、上半身用下着に結合されることで、上半身用下着を着用すると同時に使用者に装着できる点で通常のブラジャーとは異なる。
また、このブラジャー部３０は、乳房をサポートするだけではなく、授乳機能を容易に発揮すると共に、使用者の好みに応じてリラクゼーション機能を発揮するようにされている。
【００２４】
図５に示すブラジャー部３０について、その授乳機能とリラクゼーション機能とともに説明する。
先ず、図５に示すブラジャー部３０の授乳機能について説明する。ブラジャー部３０は、胸の谷間付近でブラジャー部右前身頃４２とブラジャー部左前身頃４３とがアジャスター部６０で開口幅が調整できるようになっている。具体的には、ブラジャー部３０は全開の場合、前身頃１２ａのファスナー１４と同様に開口することが可能である。すなわち、ブラジャー部右前身頃４２とブラジャー部左前身頃４３と接離する部分である端縁３４に取り外しと取りはめが可能なフックが取り付けられていて、右前身頃４２の胸の谷間側の端部と左前身頃４３の胸の谷間側の端部とが、互いに左右方向に接合されている。また、右前身頃４２と左前身頃４３の下端部はアンダーバストを支える帯ゴム等からなる輪状部４０に縫合されている。これにより、使用者は授乳をする際、上半身用下着の右前身頃１６とブラジャー部右前身頃４２、或いは上半身用下着の左前身頃１７とブラジャー部左前身頃４３を同時に持ってめくって乳房を露出し、どちらの乳房からも容易に授乳できる。
【００２５】
なお、ブラジャー部右前身頃４２とブラジャー部左前身頃４３とが左右から中央に接合される、図６に示すアジャスター部６０（二点鎖線で囲った部分）にあるオスフックとメスフックは、ブラジャー部右前身頃４２及びブラジャー部左前身頃４３の夫々の生地が綿などの素材のマスキングテープ等で補強されて三重に形成された上に取り付けられている。具体的には、図７に示すように、ブラジャー部右前身頃４２の該当部分を内外で挟むようにして縫合して厚みをもった部分である端縁３４上で前身頃１２ａ側にオスのフック３５ｂが取り付けられている。なお、ブラジャー部左前身頃４３の構成もブラジャー部右前身頃４２と同様であるが、フックはメス（３６ｂ１、３６ｂ２、３６ｂ３）である。これにより、授乳のために繰り返し開口しても、ブラジャー部およびアジャスター部の損傷を防止することができ、また、肌に直接フックが触れることによる不快感を軽減することができる。
【００２６】
次に、ブラジャー部３０のリラクゼーション機能について説明する。
ブラジャー部３０は、ソフトな着用感を得るために、伸縮性を有する生地をベースにして、ワイヤー等の硬質な部材を用いず、以下に述べる種々の部材を結合させることで、所謂ソフトブラジャーのような形態とされている。具体的に、ブラジャー部３０の伸縮性を有する生地には、例えば上半身用下着と同じ綿混素材や、ストレッチ性のあるポリウレタン混が選択でき、本実施形態の場合、図５に示すように、後述するカップ部３２，輪状部４０，弾性部材３３を除く部分が伸縮性を有する生地から形成されている。また、この伸縮性を有する生地については、各々のカップ部の脇側にあたる領域３８及び後身頃１２ｂの全体が横方向に比べて縦方向の伸縮性が弱くなるように編成されている。
【００２７】
ブラジャー部３０は、図５に示すように、胸の谷間のアジャスター部６０で接離できるようにしつつも、弾性力により使用者のアンダーバスト周辺を締付ける輪状部４０を有している。輪状部４０は、ブラジャー部３０をアンダーバスト周辺に位置決めするための部材であり、例えば弾性力のある帯ゴム等でブラジャー部３０の下端部に縫合されることで形成されている。アジャスター部のフックを留めることで、ブラジャー部３０のアンダーバストにおける動きが規制され、乳房のサポート機能を果たすことができる。また後述するように、カップ部３２に挿通し係止した母乳パッドが、吸収した漏乳により重たくなって剥がれたとしても、落下する事態を防止できる。また、就寝時などリラックス感を得たい場合には、図６のフックを上から３５ａと３６ａ１、３５ｂと３６ｂ１、３５ｃと３６ｃ１の組み合わせで留めることでブラジャー部の締め付けを緩ませることができ、安眠効果が得られると考える。よりリラックス感を得たい場合はフックを３５ｂと３６ｂ１の組み合わせのみなど、一カ所のみ留めてもよい。さらに外出時などボディラインを引き締めたい場合は、フックを上から３５ａと３６ａ３、３５ｂと３６ｂ３、３５ｃと３６ｃ３の組み合わせで留めることでブラジャー部を引き締めることができ、スタイルアップと服装の幅を広げられると考える。なお、輪状部４０には、ブラジャー部３０が上に移動しない程度の締付力があれば足り、輪状部４０が上に移動しようとする際には乳房に係止されることも考慮すると、強力な締付力は必要ない。
このようにして、本発明のブラジャー部３０は、迅速に授乳体制をとれるように、また、状況に応じて乳房のサポート力を調整できるように工夫が施されている。
【００２８】
ここから、ブラジャー部と上半身用下着の結合について述べる。
上述のとおり、ブラジャー部後身頃４４は、わき側の領域２２と首の根元側の領域２６及び背中中央付近の領域５２で後身頃１２ｂと結合されている。こうして、ブラジャー部３０は、後身頃１２ｂにおいての天地が決まる。また、領域２６は後身頃１２ｂにおいて動きの大きい左右の肩甲骨ＫＢを避けるようにし、領域５２は背中中央の脊椎上のさらに動きが少ない部分とする。
【００２９】
なお、後身頃の左右肩甲骨の間は産前産後の母親が最も発汗し易い領域であり、図２に示すように、この領域をブラジャー部後身頃４４と後身頃１２ｂとを重ねて二重構造とすることで、汗が外側に滲まないようになる。そして、上述したように、後身頃においては、図２および図３に示されるように、二重構造とされた部分の上下左右４カ所に３０ａ，３０ａ，３０ｂ，３０ｂが通気口となって、汗を乾かすことができる。また、領域５２でブラジャー部後身頃４４と後身頃１２ｂが結合されることにより、ブラジャー部３０が上半身用下着の襟から外へ出ることを防ぐため、着脱をしやすくし、また、洗濯時の型くずれを防止する。
【００３０】
なお、領域２６についての上記首の根元側とは、「後身頃の左右の肩甲骨ＫＢの間を等分で縦方向に２分割した際の上側」を意味するものであり、首の根元周辺を意味するものではない。したがって、例えば、本実施形態の変形例である図９に示すように、各図に比べて領域２６が若干上寄りとされても構わない。
【００３１】
また、図４において、ブラジャー部３０は、上半身用下着の前身頃１２ａと後身頃１２ｂともに、左右の脇ぐり部２０上で肩掛部１１より下側である領域２２と領域２４で結合されている。具体的には、前身頃１２ａにおいては３３ａからＸまでの区間である領域２４で、後身頃１２ｂにおいてはＸからＹまでの区間である領域２２でブラジャー部３０と縫合されている。このため、ブラジャー部３０は、脇においてはこの領域２２，２２，２４，２４で、アンダーバストにおいては輪状部４０で、以上の左右とバストの下の３点で位置決めされる。領域２２と領域２４は、両腕の各上腕を通す挿入口である脇ぐり部２０に位置するが、この脇ぐり部２０は上腕の根元に係止されて比較的動き難い部分であり、この動き難い脇ぐり部２０のなかでも、動きの大きい肩を除く下側はさらに動き難い。
このようにして、ブラジャー部３０は前後左右の適所で位置決めされるため、容易に動かず、乳房のサポート力を発揮する。
【００３２】
本実施形態の場合、図４に示すように、領域２４は、前身頃１２ａでは脇ぐり部２０の下側３分の１程度で結合され、後身頃１２ｂでは、肩掛部１１より下側２分の１程度で結合されている。さらに、より好ましくは、上半身用下着の脇ぐり部２０には、伸縮性のあるマスキングテープ２９等を縫合して強度を高めるとよい。
【００３３】
さらに、図５に示す通り、左右各々のカップ部３２の上端部は、弾性部材３３が設けられており、ブラジャー部右前身頃４２及びブラジャー部左前身頃４３の各々の上端部としてめくれや位置ずれを防ぐよう弾性力を発揮している。さらに、この弾性部材３３は脇ぐり部２０と端部３３ａで結合され、胸の谷間側では端縁３４の上部と端部３３ｂで結合されている。なお、本実施形態の弾性部材３３には、ゴムウレタンが混在した繊維であるマイクロテープが利用されている。これにより、弾性部材３３は、使用者が着用した際、位置決めされた脇ぐり部２０と輪状部４０との間で張力をもってかけわたされる。そして、この弾性部材３３とカップ部３２とが直接、縫合等されて結合され、これにより、弾性部材３３でカップ部３２をつった状態に支えて、カップ部３２の乳房に対する位置ずれをより有効に防止している。
【００３４】
このように、ブラジャー部３０は乳房のサポート機能を有効に発揮するようにしても、上半身用下着の特定の部分にのみ結合されているため、リラクゼーション機能を阻害するような構成とはされていない。ブラジャー部３０と上半身用下着との相互作用は小さく、ブラジャー部３０の動きに伴って上半身用下着が動くことが少なく、逆に上半身用下着の動きに伴ってブラジャー部３０が動くことも少ない。さらに、アジャスター部のフックを３５ｂと３６ｂ１などの組み合わせで留めることによって、就寝時などはよりリラクゼーション感を高めることができる。
【００３５】
次に、図８に沿ってブラジャー部３０のカップ部３２について説明する。
左右各々のカップ部３２の周縁部はブラジャー部左前身頃４２及びブラジャー部右前身頃４３の夫々の伸縮性を有する生地に縫合されているが、このカップ部３２は、ソフトな着用感を得られるように、柔軟であって厚み方向に所定の弾力性が付与されて乳房に沿うお椀型となっており、着用時に少なくとも乳首を覆うことができる位置にある。さらに、カップ部３２は、市販されている多くの母乳パッドに付属している粘着テープが貼付できる素材、例えばポリエステルから形成され、漏乳による不快感を母乳パッドで防ぐことができるようになっている。
【００３６】
さらに、図８に示されるように、この左右各々のカップ部３２の上部には胸から脇方向にかけて内外を貫通するスリット５０が設けられている。なおこのスリットは、直線に限らず湾曲またはくの字形状でもよい。図８の右側カップ部３２に示すように、母乳パッドをカップ部３２に装着する際に、母乳パッドの一端をこのスリット５０に挿通することで、発汗による湿気や漏乳の重さによって粘着力が低下した母乳パッドを係止し、脱落を防ぐことができる。
【００３７】
本発明の実施形態は以上のように構成されており、めくれや位置ずれを防止しながらブラジャー機能を有効に発揮し、かつ、迅速に授乳に対応できる授乳口をもち、さらに、アジャスター部によって使用者の好みに応じてリラクゼーション感を高められる授乳服となっている。
【００３８】
なお、本発明は上述した実施形態に限られるものではなく、例えば、本実施形態の変形例である図９に示すように、袖は長袖や半袖でもよく、襟はタートルネック状であっても構わない。さらに、ファスナーにはレースをあしらったものを用いたり、ファスナーの持ち手にチャームを取り付けたりとファッション性を向上させてもよい。
【産業上の利用可能性】
【００３９】
本発明の授乳服は、最低限の肌の露出で授乳を迅速に行うことができ、さらに使用者の好みに応じてリラクゼーション感が高められるものである。また、授乳期でなくとも通気性を調整できる上半身用下着として着用できる。
【符号の説明】
【００４０】
１０  授乳服
１１  肩掛部
１２ａ  前身頃
１２ｂ  後身頃
１４  ファスナー
１６  右前身頃
１７  左前身頃
１９  襟ぐり部
２０  脇ぐり部
２９  マスキングテープ
３０  ブラジャー部
３２  カップ部
３４  端縁
４０  輪状部
４２  ブラジャー部右前身頃
４３  ブラジャー部左前身頃
４４  ブラジャー部後身頃
５０  スリット
６０  アジャスター部
【要約】
【課題】最低限の肌の露出で授乳を迅速に行うことができ、さらに使用者の好みに応じてリラクゼーション感が高められる授乳服を提供する。
【解決手段】授乳服１０は、上半身用下着の前身頃１２（ａ）に、左右各々のカップ部３２が接離可能に連結されたブラジャー部が取り付けられた授乳服であって、前記前身頃のみぞおち下周辺から首もと中央縦方向に、下端側から上端側に順次開口するファスナー１４が配設されており、前記ファスナーが開口したとき、前記上半身用下着の前身頃の前記みぞおち下周辺から首もとの部分が開口し、前記両カップ部が露出する授乳口が形成されることを特徴とする授乳服である。
【選択図】図１【図１】
0005457533.tif 000002
【図２】
0005457533.tif 000003
【図３】
0005457533.tif 000004
【図４】
0005457533.tif 000005
【図５】
0005457533.tif 000006
【図６】
0005457533.tif 000007
【図７】
0005457533.tif 000008
【図８】
0005457533.tif 000009
【図９】
0005457533.tif 000010
【図１０】
0005457533.tif 000011